(57)【特許請求の範囲】
【請求項１】
第１のボード部材と第２のボード部材とが互いに直交して配置される乾式壁のコーナー部の構造であって、
前記第１のボード部材を支持するための第１のスタッドと、
前記第２のボード部材を支持するための第２のスタッドと、
前記第１のボード部材が取り付けられる第１の面と前記第２のボード部材が取り付けられる第２の面とを有し、前記第１のスタッドおよび前記第２のスタッドに固定されるＬ字形状の不燃性の下地部材とを備え、
前記下地部材の第１の面および第２の面には、前記下地部材の位置決めのために、前記第１のスタッドおよび前記第２のスタッドの側面に当接する係止片が設けられている、乾式壁のコーナー部構造。
【請求項２】
前記下地部材は、鉄板である、請求項１に記載の乾式壁のコーナー部構造。
【請求項３】
前記第１のボード部材に間隔をあけて対面する第３のボード部材を支持するための第３のスタッドと、
前記第２のボード部材に間隔をあけて対面する第４のボード部材を支持するための第４のスタッドとをさらに備え、
前記第１のスタッドおよび前記第２のスタッドは、それぞれ、前記第３のボード部材および前記第４のボード部材から離れて配置され、
前記第３のスタッドおよび前記第４のスタッドは、それぞれ、前記第１のボード部材および前記第２のボード部材から離れて配置されている、請求項１または２に記載の乾式壁のコーナー部構造。
【請求項４】
前記下地部材は、前記コーナー部の入隅側に配置され、
前記第３のボード部材および前記第４のボード部材は、出隅側において互いに直交しており、
前記第３のボード部材が取り付けられる第１の面と前記第４のボード部材が取り付けられる第２の面とを有し、柱に固定される不燃性の出隅側下地部材をさらに備える、請求項３に記載の乾式壁のコーナー部構造。
【請求項５】
前記各係止片は、前記下地部材の第１の面または第２の面から切り起こされたものであり、その側面が前記第１のスタッドまたは前記第２のスタッドに当接する、請求項１に記載の乾式壁のコーナー部構造。
【請求項６】
前記下地部材の第１の面および第２の面には、予め両面テープが貼り付けられており、
前記下地部材は、前記両面テープによって前記第１のスタッドおよび前記第２のスタッドに固定される、請求項１〜５のいずれかに記載の乾式壁のコーナー部構造。
【発明の詳細な説明】
【技術分野】
【０００１】
本発明は、乾式壁のコーナー部構造に関し、特に、中央位置に柱を有する乾式壁のコーナー部の構造に関する。
【背景技術】
【０００２】
従来から、乾式壁の遮音性や耐火性を向上させるための技術が提案されている。
【０００３】
たとえば特許第４２４１３２２号公報（特許文献１）には、サウンドブリッジの影響を低減させるために、複数のスタッドを千鳥状に配置した壁構造が開示されている。
【０００４】
また、特開２００７−３２１４３３号公報（特許文献２）には、遮音壁のコーナー部においてもサウンドブリッジの影響を低減させるために、コーナー部における入隅および出隅に、金属などからなる長物のアングル部材をそれぞれ設け、アングル部材の間にピース状の振動絶縁材を設けることが開示されている。
【０００５】
また、特許第５３８７８３４号公報（特許文献３）には、鉄骨柱の耐火性を向上させるために、軽鉄の薄板を利用することが開示されている。
【先行技術文献】
【特許文献】
【０００６】
【特許文献１】特許第４２４１３２２号公報
【特許文献２】特開２００７−３２１４３３号公報
【特許文献３】特許第５３８７８３４号公報
【発明の概要】
【発明が解決しようとする課題】
【０００７】
上述のように、特許文献２では、コーナー部において互いに直交する一方側および他方側のボード部材（面材）は、不燃性のアングル部材に固定される。そのため、コーナー部における耐火性を向上させることができる。しかし、コーナー部の中央に柱が設置される場合など、入隅および出隅のアングル部材の間にピース状の振動絶縁材を設けることが困難な場合もある。また、簡易な構成で、コーナー部における遮音性を向上させたいという要望もあった。
【０００８】
本発明は、上記のような課題を解決するためになされたものであって、その目的は、簡易な構成で、耐火性および遮音性を向上させることのできる乾式壁のコーナー部構造を提供することである。
【課題を解決するための手段】
【０００９】
この発明のある局面に従う乾式壁のコーナー部構造は、第１のボード部材と第２のボード部材とが互いに直交して配置される乾式壁のコーナー部の構造であって、第１のボード部材を支持するための第１のスタッドと、第２のボード部材を支持するための第２のスタッドと、Ｌ字形状の不燃性の下地部材とを備える。下地部材は、第１のボード部材が取り付けられる第１の面と第２のボード部材が取り付けられる第２の面とを有し、第１のスタッドおよび第２のスタッドに固定される。
【００１０】
好ましくは、下地部材は、鉄板である。
【００１１】
好ましくは、乾式壁のコーナー部構造は、第１のボード部材に間隔をあけて対面する第３のボード部材を支持するための第３のスタッドと、第２のボード部材に間隔をあけて対面する第４のボード部材を支持するための第４のスタッドとをさらに備える。この場合、第１のスタッドおよび第２のスタッドは、それぞれ、第３のボード部材および第４のボード部材から離れて配置され、第３のスタッドおよび第４のスタッドは、それぞれ、第１のボード部材および第２のボード部材から離れて配置されていることが望ましい。
【００１２】
下地部材は、コーナー部の入隅側に配置され、第３のボード部材および第４のボード部材は、出隅側において互いに直交していてもよい。この場合、乾式壁のコーナー部構造は、第３のボード部材が取り付けられる第１の面と第４のボード部材が取り付けられる第２の面とを有し、柱に固定される不燃性の出隅側下地部材をさらに備えていてもよい。
【００１３】
好ましくは、下地部材の第１の面および第２の面には、下地部材の位置決めのために、第１のスタッドおよび第２のスタッドの側面に当接する係止片が設けられている。
【００１４】
各係止片は、下地部材の第１の面または第２の面から切り起こされたものであり、その側面が第１のスタッドまたは第２のスタッドに当接することが望ましい。
【００１５】
好ましくは、下地部材の第１の面および第２の面には、予め両面テープが貼り付けられており、下地部材は、両面テープによって第１のスタッドおよび第２のスタッドに固定される。
【発明の効果】
【００１６】
本発明によれば、簡易な構成で、乾式壁のコーナー部の耐火性および遮音性を向上させることができる。
【図面の簡単な説明】
【００１７】
【図１】本発明の実施の形態における乾式壁の基本構造例を示す縦断面図である。
【図２】図１のＩＩ−ＩＩ線で切断した場合の乾式壁の部分断面図である。
【図３】本発明の実施の形態における乾式壁のスタッドの配置例を示す横断面図である。
【図４】本発明の実施の形態の乾式壁において、天井部分における音の伝搬イメージを示す概念図である。
【図５】本発明の実施の形態に係る乾式壁のコーナー部の構造例を示す横断面図である。
【図６】本発明の実施の形態において、面部材が取り付けられる前の状態のコーナー部を、入隅側から見た斜視図である。
【図７】本発明の実施の形態における入隅側の下地部材を示す斜視図である。
【図８】本発明の実施の形態において、面部材が取り付けられる前の状態のコーナー部を、出隅側から見た斜視図である。
【図９】本発明の実施の形態における出隅側の下地部材を示す斜視図である。
【図１０】本発明の実施の形態の変形例１に係る乾式壁のコーナー部の構造例を示す横断面図である。
【図１１】本発明の実施の形態の変形例２に係る乾式壁のコーナー部の構造例を示す横断面図である。
【発明を実施するための形態】
【００１８】
本発明の実施の形態について図面を参照しながら詳細に説明する。なお、図中同一または相当部分には同一符号を付してその説明は繰返さない。
【００１９】
本実施の形態に係る乾式壁のコーナー部構造の説明に先立ち、はじめに、図１〜図４を参照して乾式壁１の基本構造例について説明する。
【００２０】
乾式壁１は、隣り合う空間（部屋）を仕切るために、天井から床にかけて延びるように配置される。乾式壁１は、共同住宅、長屋および寄宿舎等の住戸が連続する建築物における界壁（戸境壁）、あるいは、音楽室等の高遮音性が求められる間仕切り壁が想定される。本実施の形態において、横断面において隣り合う空間を仕切る仮想的な線を「仕切り線」という。また、本実施の形態において、仕切り線と直交する方向を「表裏方向」という。
【００２１】
本実施の形態の乾式壁１は、一例として、特願２０１２−２７６１６５号出願において提案された乾式壁の構造を採用している。なお、図１および図２において、紙面右側を第１空間、紙面左側を第２空間として説明する。また、図２における仮想線Ａ１は、仕切り線を示し、矢印Ａ２は、表裏方向を示している。
【００２２】
図１および図２に示されるように、乾式壁１は、仕切り線に沿って、天井から床にかけて延びるように配置される基礎部材２と、基礎部材２の一方面側および他方面側にそれぞれ固定される面部材４とを備えている。
【００２３】
基礎部材２は、第１空間側に間隔をおいて配置される複数のスタッド２１と、第２空間側に間隔をおいて配置される複数のスタッド２２とを含む。これらのスタッド２１および２２は、それぞれ、第１空間側および第２空間側において、直線状に整列している。各スタッド２１，２２は、鋼製であり、横断面の形状は、たとえば短辺が４５ｍｍ、長辺が６５ｍｍの略長方形状である。なお、本実施の形態において、スタッド２１の第１空間側の面およびスタッド２２の第２空間側の面、すなわち面部材４と接する側の側面を、「表面」という。また、スタッド２１の第２空間側の面およびスタッド２２の第１空間側の面、すなわち表面の反対側の側面を、「裏面」という。
【００２４】
基礎部材２は、また、複数のスタッド２１それぞれの軸方向両端を抱え込むように配置される一対のランナー３１，３３と、複数のスタッド２２それぞれの軸方向両端を抱え込むように配置される一対のランナー３２，３４とを含む。第２空間側のランナー３２，３４は、表裏方向において、第１空間側のランナー３１，３３とは所定の隙間を有して配置されている。
【００２５】
上側のランナー３１およびランナー３２は、各々、表裏方向両端に下向きの鍔を有している。ランナー３１の鍔の内側面が、スタッド２１の表面および裏面と接し、ランナー３２の鍔の内側面が、スタッド２２の表面および裏面と接している。これにより、スタッド２１，２２の天井側の端部は、それぞれ、ランナー３１，３２によって完全に抱え込まれる。下側のランナー３３およびランナー３４は、各々、表裏方向両端に上向きの鍔を有している。ランナー３２の鍔の内側面が、スタッド２１の表面および裏面と接し、ランナー３４の鍔の内側面が、スタッド２２の表面および裏面と接している。これにより、スタッド２１，２２の床側の端部は、それぞれ、ランナー３２，３４によって完全に抱え込まれる。
【００２６】
なお、上側のランナー３１，３２、および、下側のランナー３３，３４は、それぞれ、たとえばＨ型鋼で造られた、建物の天井および床の梁９１，９２に固定される。あるいは、下側のランナー３３，３４は、建物の土台としての基礎に固定される。
【００２７】
このように、本実施の形態では、取り付け場所ごとに、表裏方向に独立して２つのランナーが設けられている。したがって、図４に示されるように、一方側の空間において発生した音Ｓは、たとえば天井側においても、ランナー３１，３２間の隙間３において遮断され、他方側の空間への伝搬を回避することができる。その結果、本実施の形態における乾式壁１によれば、一般的な遮音壁すなわち、千鳥状に配置された複数のスタッドが、取り付け場所ごとに１つのランナーによって保持される乾式壁よりも、高遮音性の要求を満たすことができる。
【００２８】
図２および図３に示されるように、各スタッド２１，２２は、弱軸配置されている。つまり、各スタッド２１，２２は、その短辺と面部材４に対して直交する方向（表裏方向）とが平行となるように配置されている。これにより、取付け場所ごとに表裏方向に独立してランナーを設けても、乾式壁１の厚みが増大してしまうことを回避できる。
【００２９】
本実施の形態では、隣接するスタッド２１およびスタッド２２は、表裏方向に重なるように、裏面同士が向かい合って配置されている。このような配置形態を、本実施の形態では「背中合わせ」と表現する。また、「隣接する」とは、最も近くに位置するという意味であり、互いに接し合うとの意味に限定されないものとする。各スタッド２１，２２は、遮音性を考慮すると、閉鎖断面よりも、裏面側に開口を有する開放断面であることが望ましい。
【００３０】
柱５１の一方面側および他方面側には、吸音材５３として、たとえばグラスウールが設けられている。また、整列方向において隣り合う二組のスタッド２１，２２間にも、吸音材５３が設けられている。
【００３１】
図１および図３を参照して、各面部材４は、たとえば、基礎部材２側に配置される石膏ボード４１と、空間側に露出して配置される強化石膏ボード４２とで構成されている。強化石膏ボード４２は、耐火性能を強化するために、ガラス繊維等が混入された石膏ボード（網入り強化石膏ボード）である。強化石膏ボード４２は、石膏ボード４１の厚みよりも大きいことが望ましい。具体的には、石膏ボード４１の厚みは、たとえば９．５ｍｍであり、強化石膏ボード４２の厚みは、たとえば１５ｍｍである。
【００３２】
（コーナー部構造について）
次に、このような乾式壁１のコーナー部の構造例について説明する。
【００３３】
図５を参照して、乾式壁１のコーナー部１０は、たとえば、入隅１１と出隅１２とを有するＬ字コーナーであり、その中央位置に、柱５２が配置されている。柱５２は、矩形状断面を有する筒状部材であり、その一辺は基礎部材２の厚み寸法Ｌ１よりも小さい。柱５２は、その下端に連結された矩形状のプレート材５２０によって、建物の基礎９２Ａまたは梁９２（図１）上に固定されている。
【００３４】
本実施の形態では、上記第１空間が入隅１１側に位置し、上記第２空間が出隅１２側に位置しているものとする。そのため、入隅１１において直交する面部材４は、スタッド２１によって支持され、出隅１２において直交する面部材４は、スタッド２２によって支持されている。
【００３５】
このようにコーナー部１０の中央に柱５２が設置される場合、入隅１１および出隅１２のいずれにおいても、一方側のスタッドと他方側のスタッドとを接触状態で配置することができない。そのため、このような場合、一般的には、柱５２に固定された木製の下地に、面部材４が取り付けられる。しかし、そうすると、コーナー部の耐火性および遮音性は低下してしまう。
【００３６】
これに対し、本実施の形態では、コーナー部１０の入隅１１および出隅１２のいずれにおいても、面部材４を取り付けるための下地部材６，７を鉄板としている。また、入隅１１側の下地部材６は、柱５２ではなく、一方側および他方側に位置する一対のスタッド２１に固定される。これにより、乾式壁１のコーナー部１０の耐火性および遮音性が向上される。
【００３７】
以下に、入隅１１側の下地部材６および出隅１２側の下地部材７について、詳細に説明する。なお、図５には、面部材４の各位置を分かり易くするために、入隅１１に位置する一方側の面部材４の符号を「４ａ」とし、他方側の面部材４の符号を「４ｂ」と示している。同様に、出隅１２に位置する一方側の面部材４の符号を「４ｃ」とし、他方側の面部材４の符号を「４ｄ」と示している。また、各面部材４に含まれるボード部材（石膏ボード４１，４２）についても、面部材４の符号に対応して、入隅１１に位置する一方側および他方側のボード部材の符号に、それぞれ「ａ」，「ｂ」を付加し、出隅１２に位置する一方側および他方側のボード部材の符号に、それぞれ「ｃ」，「ｄ」を付加している。
【００３８】
まず、図５〜図７を参照して、入隅１１側の下地部材６の構成および配置例について説明する。図６は、面部材４が取り付けられる前の状態のコーナー部１０を入隅１１側から見た斜視図である。図７は、下地部材６を、入隅１１において裏側（出隅１２側）から見た斜視図である。
【００３９】
入隅１１に配置される下地部材６は、互いに直交する面部材４ａ，４ｂを支持する１対のスタッド２１ａ，２１ｂに固定されている。スタッド２１ａは、一方側の壁を構成するスタッド２１のうち、最も柱５２側に配置されたスタッドを表わし、スタッド２１ｂは、他方側の壁を構成するスタッド２１のうち、最も柱５２側に配置されたスタッドを表わしている。
【００４０】
下地部材６は、Ｌ字形状であり、第１の面６１と、第２の面６２とを有している。第１の面６１に、面部材４ａ（より具体的には石膏ボード４１ａ）が取り付けられ、第２の面６２に、面部材４ｂ（より具体的には石膏ボード４１ｂ）が取り付けられる。下地部材６は、たとえば、一枚の鉄製の薄板が折り曲げ加工されることによって形成されている。
【００４１】
下地部材６は、上下方向に延びており、上側および下側のランナー３１，３３の鍔に重ならないように配置される。なお、取扱いを容易にするために、下地部材６は、上下方向に分割されていてもよい。このような場合には、上下方向に隣接する下地部材６間に、隙間があってもよい。
【００４２】
下地部材６は、第１の面６１の裏側の一部（横幅方向端部）が、スタッド２１ａの表面に当接し、第２の面６２の裏側の一部（横幅方向端部）が、スタッド２１ｂの表面に当接する。本実施の形態では、横幅方向においてスタッド２１ａ，２１ｂの表面のうちの略半分が、第１および第２の面６１，６２と当接している。なお、スタッド２１ａ，２１ｂの表面の横幅全体が、第１および第２の面６１，６２と当接していてもよい。
【００４３】
図７に示されるように、下地部材６の第１の面６１および第２の面６２の裏側には、予め両面テープ６４が貼り付けられている。そのため、両面テープ６４によって、下地部材６を容易にスタッド２１ａ，２１ｂに固定（仮固定）することができる。
【００４４】
下地部材６のスタッド２１ａ，２１ｂへの本固定は、石膏ボード４１ａ，４１ｂをスタッド２１ａ，２１ｂに固定するためのビス等の釘部材（図示せず）が、石膏ボード４１ａ，４１ｂとともに下地部材６を貫通することによって実現される。また、たとえば下地部材６の第１および第２の面６１，６２とスタッド２１ａ，２１ｂの表面とが横幅方向において広範囲に重なるような場合には、強化石膏ボード４２ａ，４２ｂをスタッド２１ａ，２１ｂに固定するための釘部材（図示せず）も、内側の石膏ボード４１ａ，４１ｂとともに下地部材６を貫通してもよい。
【００４５】
ここで、下地部材６の第１の面６１および第２の面６２には、下地部材６の位置決めのために、スタッド２１ａ，２１ｂの側面に当接する係止片６３が設けられている。具体的には、面６１，６２ごとに、上下方向に間隔をあけて、裏側へ突出する複数の係止片６３が設けられている。各係止片６３は、下地部材６の第１の面６１または第２の面６２から切り起こされたものであり、その側面６３ａがスタッド２１ａまたはスタッド２１ｂに当接する。係止片６３は、スタッド２１ａ，２１ｂの柱５２側の側面に直交するように、上方または下方に切り起こされていることが望ましい。
【００４６】
なお、図７に示されるように、下地部材６の出荷時には、第１の面６１の係止片６３、および、第２の面６２の係止片６３のいずれか一方は、寝かされた状態であることが望ましい。たとえば第１の面６１の係止片６３が寝かされた状態である場合、施工時に、まず、予め切り起こされている第２の面６２の係止片６３を、スタッド２１ｂの側面に当接させる。その状態で、ハンマー等で第１の面６１の切り込み部を叩き付けて立ち上げることで、下地部材６の嵌め込みを容易に行うことができる。
【００４７】
次に、図５、図８および図９を参照して、出隅１２側の下地部材７の構成および配置例について説明する。図８は、面部材４が取り付けられる前の状態のコーナー部１０を出隅１２側から見た斜視図である。図９は、下地部材７を、出隅１２において表側（出隅１２側）から見た斜視図である。
【００４８】
出隅１２に配置される下地部材７は、柱５２に固定されている。図５および図９に示されるように、下地部材７は、第１〜第６の面７１〜７６を有している。第１の面７１には、面部材４ｃ（より具体的には石膏ボード４１ｃ）が取り付けられ、第２の面７２には、面部材４ｄ（より具体的には石膏ボード４１ｄ）が取り付けられる。第３および第４の面７３，７４は、柱５２の互いに隣り合う側面にそれぞれ当接する。第５の面７５は、第１の面７１および第３の面７３に直交し、第６の面７６は、第２の面７２および第４の面７４に直交している。このような形状の下地部材７も、一枚の鉄製の薄板が折り曲げ加工されることによって形成されていてよい。
【００４９】
下地部材７は、上下方向に延びており、上側および下側のランナー３２，３４の鍔に重ならないように配置される。なお、下地部材７も、取扱いを容易にするために、上下方向に分割されていてもよい。
【００５０】
図９に示されるように、下地部材７の第３および第４の面７３，７４には、上下方向に間隔をあけて、複数の貫通穴７７が予め設けられている。下地部材７は、これらの貫通穴７７を挿通する釘部材（図示せず）によって、柱５２に本固定される。
【００５１】
石膏ボード４１ｃ，４１ｄは、釘部材（図示せず）によって、下地部材７の第１の面７１および第２の面７２にそれぞれ固定されている。また、強化石膏ボード４２ｃ，４２ｄは、釘部材（図示せず）によって、石膏ボード４１ｃ，４１ｄとともに、下地部材７の第１の面７１および第２の面７２に固定される。
【００５２】
以上説明したように、本実施の形態では、入隅１１側に位置する一対のスタッド２１ａ，２１ｂに、面部材４を取り付けるための下地部材６が固定される。この場合、入隅１１側の下地部材６と柱５２との間に隙間を設けることができるため、柱５２を介した第１空間（入隅１１側）と第２空間（出隅１２側）との間の音の伝搬を遮ることができる。つまり、簡易な構成で、コーナー部１０の遮音性を高めることができる。また、下地部材６が鉄板であるため、耐火性も向上される。
【００５３】
また、下地部材６の第１の面６１および第２の面６２には、係止片６３および両面テープ６４が設けられているため、施工性を向上させることもできる。
【００５４】
さらに、本実施の形態では、入隅１１側のスタッド２１と出隅１２側のスタッド２２とは、取り付け場所ごとに個別のランナーによって保持されている。したがって、ランナーを介した音の伝搬も遮られるため、コーナー部１０全体の遮音性を高めることができる。
【００５５】
（変形例１）
上記実施の形態では、出隅１２側の下地部材７は、柱５２に固定されたが、入隅１１側と同様に、出隅１２側の下地部材も、一対のスタッド２２に固定されてもよい。本実施の形態の変形例１に係る乾式壁のコーナー部１０の構造例が、図１０に示されている。
【００５６】
図１０に示されるように、本変形例では、出隅１２側に、下地部材８が設けられている。下地部材８は、出隅１２側において互いに直交する面部材４ｃ，４ｄを支持する１対のスタッド２２ａ，２２ｂに固定されている。スタッド２２ａは、一方側の壁を構成するスタッド２２のうち、最も柱５２側に配置されたスタッドを表わし、スタッド２２ｂは、他方側の壁を構成するスタッド２１のうち、最も柱５２側に配置されたスタッドを表わしている。
【００５７】
下地部材８は、上述した入隅１１側の下地部材６と同様の構成を有していてよい。すなわち、下地部材８は、Ｌ字形状であり、面部材４ｃ（より具体的には石膏ボード４１ｃ）が取り付けられる第１の面８１と、面部材４ｄ（より具体的には石膏ボード４１ｄ）が取り付けられる第２の面８２とを有している。第１の面８１の裏側の一部が、スタッド２２ａの表面に当接し、第２の面８２の裏側の一部が、スタッド２２ｂの表面に当接する。下地部材８は、柱５２から離れた状態で配置される。
【００５８】
また、下地部材８の第１の面８１および第２の面８２には、下地部材８の位置決めのために、スタッド２２ａ，２２ｂの側面に当接する係止片８３が設けられている。また、下地部材８は、第１の面８１および第２の面８２の裏側に予め貼り付けられた両面テープ（図示せず）によって、スタッド２２ａ，２２ｂに固定（仮固定）される。
【００５９】
なお、この場合、柱５２とスタッド２２ａ，２２ｂとの間隔が広すぎると、下地部材８の強度不足が懸念されるため、出隅１２側のスタッド２２ａ，２２ｂの方が、入隅１１側のスタッド２１ａ，２１ｂよりも、柱５２に近い位置に配置されていてもよい。つまり、スタッド２１，２２は、背中合わせでなく、千鳥状に配置されていてもよい。
【００６０】
（変形例２）
上記実施の形態では、２列のスタッド２１，２２が弱軸配置されることとしたが、一般的な乾式壁のように、複数のスタッドが、千鳥状に強軸配置されていてもよい。本実施の形態の変形例２に係る乾式壁のコーナー部１０の構造例が、図１１に示されている。
【００６１】
図１１に示されるように、本変形例では、複数のスタッド１２１，１２２が、千鳥状に配置されている。具体的には、入隅１１側のスタッド１２１は、出隅１２側の面部材４ｃ，４ｄから離れて配置されており、出隅１２側のスタッド１２２は、入隅１１側の面部材４ａ，４ｂから離れて配置されている。この場合、Ｌ字形状の下地部材６は、スタッド１２１に固定されている。
【００６２】
スタッド１２１，１２２は、強軸配置されており、取り付け場所ごとに共通のランナーによって保持されている。たとえば、スタッド１２１，１２２の下端部は、基礎９２Ａ上に固定された１つのランナー１３３によって保持されている。この場合、スタッド１２１，１２２とランナー１３３の鍔との隙間には、スペーサ１３５が挿入される。そのため、本変形例では、ランナー１３３の部分においてサウンドブリッジが形成されてしまうものの、ランナー１３３以外の箇所での遮音性は維持することができる。
【００６３】
なお、上記実施の形態および各変形例では、入隅１１側には、Ｌ字形状の下地部材６が配置されることとしたが、変形例１のように出隅１２側にＬ字形状の下地部材８が配置される場合には、入隅１１側の下地部材は、柱５２に固定される構成および形状であってもよい。
【００６４】
また、上記実施の形態および各変形例では、コーナー部１０がＬ字コーナーであるとしたが、上述したようなＬ字状の下地部材６または８は、Ｔ字コーナーや十字コーナーにも適用することができる。
【００６５】
また、上記実施の形態および各変形例では、コーナー部１０の中央に柱５２が配置される構造例を示したが、変形例１のように、入隅１１側の下地部材６および出隅１２側の下地部材８のいずれもが、スタッド２１，２２にそれぞれ固定される場合、柱５２を有さない構造であってもよい。
【００６６】
また、下地部材６〜８は、いずれも鉄板であることとしたが、不燃性の板材であれば他の材質であってもよい。
【００６７】
また、上記変形例１，２を適宜組み合わせてもよい。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６９】
１  乾式壁、２  基礎部材、３  隙間、４，４ａ，４ｂ，４ｃ，４ｄ  面部材、４  面部材、６〜８  下地部材、１０  コーナー部、１１  入隅、１２  出隅、２１，２２，２１ａ，２１ｂ，２２，２２ａ，２２ｂ，１２１，１２２  スタッド、３１，３２，３３，３４，１３３  ランナー、４１，４１ａ，４１ｂ，４１ｃ，４１ｄ，  石膏ボード、４２，４２ａ，４２ｂ，４２ｃ，４２ｄ  強化石膏ボード、５１，５２  柱、５３  吸音材、６３，８３  係止片、６４  両面テープ、７７  貫通穴、９１，９２，  梁、９２Ａ  基礎、１３５  スペーサ、５２０  プレート材。
【図１】
0006424316.tif 000002
【図２】
0006424316.tif 000003
【図３】
0006424316.tif 000004
【図４】
0006424316.tif 000005
【図５】
0006424316.tif 000006
【図６】
0006424316.tif 000007
【図７】
0006424316.tif 000008
【図８】
0006424316.tif 000009
【図９】
0006424316.tif 000010
【図１０】
0006424316.tif 000011
【図１１】
0006424316.tif 000012